(57)【要約】【課題】紫外線ＬＥＤによる紫外線を、光触媒が施されたフィルターに広く照射できるようする一方、ベンチュリ効果により、前記フィルターを通過する空気の圧力を高めてフィルターへの接触効率を高めて、脱臭効果を高め、更に脱臭器の小型化を図るようにした小型脱臭器を提供する。【解決手段】紫外線ＬＥＤ３ａ・３ｂによる紫外線を、エアガイド４の挿着部７に挿着された光触媒が施されたフィルター１に対して傾斜して設置して、広く照射できるようする一方、前記エアガイド４の小径に絞った通気部８によるベンチュリ効果により、該フィルター１を通過する空気の圧力を高めてフィルターへの接触効率を高めて脱臭効果を高め、更に、前記通気部８の外側壁面とケーシング内側壁面間に広い空間部１０を形成し、該空間部１０に脱臭器の部品１３を配設できるようする。【選択図】図１
2018089063.tif 000002
【特許請求の範囲】
【請求項１】
上・下端を開口した長方形状筒体より成るエアガイドに、光触媒が施されたフィルターを挿着する挿着部を設け、且つ該挿着部の上方側を小径に絞って小径の脱臭空気の通気部を連設し、且つ該通気部の下流側、あるいは前記挿着部の上流側のいずれか一方に、ファンを設置するファン設置部が連設されて形成されると共に、紫外線ＬＥＤを前記挿着部に対して傾斜して取付け、前記通気部によるベンチュリ効果により、該光触媒が施されたフィルターを通過する空気の圧力を高めてフィルターへの接触効率を高め、脱臭効果を高めるようにしたことを特徴とする小型脱臭器。
【請求項２】
小径に絞った通気部の外側壁面とケーシングの内側壁面間に広い空間部を形成し、該空間部に脱臭器の部品を配置するようにして、脱臭器の小型化を図るようにしたことを特徴とする請求項１に記載の小型脱臭器。
【請求項３】
紫外線ＬＥＤを挿着部に対して、それぞれ上・下に位置をずらし、前記光触媒が施されたフィルター面に対して傾斜して取付け、前記一方の紫外線ＬＥＤによる紫外線を、該光触媒が施されたフィルターの上面部および側面部全面を照射できるようにし、更に、他方の紫外線ＬＥＤによる紫外線を、前記光触媒が施されたフィルターの側面部全面を照射できるように照射面を広げるようにしたことを特徴とする請求項１に記載の小型脱臭器。
【発明の詳細な説明】
【技術分野】
【０００１】
本発明は、紫外線ＬＥＤを、それぞれ光触媒が施されたフィルター面に対して傾斜して取付け、前記紫外線ＬＥＤによる紫外線を、該光触媒が施されたフィルターの上面部および両側面部に広く照射できるようにして、紫外線の照射面を広げる一方、小径に絞った通気部によるベンチュリ効果により、該光触媒が施されたフィルターを通過する空気の圧力を高めてフィルターへの接触効率を高めて脱臭効果を高め、更に前記小径に絞った通気部の外側壁面とケーシング内側壁面間に空間部を形成し、該空間部に脱臭器の部品を配設できるようにして、脱臭器の小型化を図るようにした小型脱臭器に関するものである。
【背景技術】
【０００２】
従来、図４に示すように、光触媒が施されたフィルター、ファン、紫外線ＬＥＤ、エアガイド（反応容器）を備えた小型脱臭器は広く市販されており周知の技術となっている。また、小型脱臭器に関する先行技術につき、過去の特許文献を遡及検索したところ、下記の特許文献に示す「小型脱臭装置」が公知である。
【先行技術文献】
【特許文献】
【０００３】
【特許文献１】特開２０１３‐２０２２３２号公報
【発明の概要】
【発明が解決しようとする課題】
【０００４】
前記一般に市販されている小型脱臭器は、図４に示すような構成より成るものである。すなわち、図４は従来実用に供されている小型脱臭器の概略説明図であり、光触媒が施されたフィルター２１、ファン２２、紫外線ＬＥＤ２３ａ・２３ｂ、エアガイド（反応容器）２４を備えて形成されている。前記エアガイド２４において、前記光触媒が施されたフィルター２１を挿着する挿着部２５の上方の循環空気の通気部２６は前記挿着部２５と同径に形成され、前記エアガイド２４には、ベンチュリ効果により前記光触媒が施されたフィルター２１を通過する空気の圧力を高めてフィルターへの接触効率を高めるための小径に絞った通気部が備えられていないので、室内の脱臭効率が悪いという課題があった。
【０００５】
また、前記一般に市販されている小型脱臭器のエアガイド２４は、前記したようにベンチュリ効果により光触媒が施されたフィルター２１を通過する空気の圧力を高めてフィルターへの接触効率を高めるための小径に絞った通気部を備えておらず、そのため該通気部の外側壁面とケーシング２７の内側壁面間に広い空間部が形成できないので、脱臭器の部品２８を配設するスペースが確保できず、脱臭器を小型化できないという課題があった。なお、図３において、２９はファン設置部、３０は基板である。
【０００６】
更に、前記一般に市販されている小型脱臭器においては、光触媒が施されたフィルター２１への紫外線照射は、紫外線ＬＥＤ２３ａ・２３ｂを前記光触媒が施されたフィルター２１の面に対して横方向から照射するという構成であり、紫外線ＬＥＤ２３ａ・２３ｂを前記挿着部２５の上方に斜めに取付けるという構成が存在しないため、前記光触媒が施されたフィルター２１の上面部もしくは下面部への照射ができず、紫外線照射面を充分確保できないので、ＬＥＤによる紫外線の照射効率が悪いという課題があった。
【０００７】
また、前記特許文献記載の「小型脱臭装置」のエアガイドは、前記したようにベンチュリ効果により光触媒が施されたフィルターを通過する空気の圧力を高めてフィルターへの接触効率を高めるための小径に絞った通気部を備えておらず、そのため該通気部の外側壁面とケーシングの内側壁面間に広い空間部が形成できないので、脱臭器の部品を配設するスペースが確保できず、脱臭器を小型化できないという課題があった。
【０００８】
更に、前記特許文献記載の「小型脱臭装置」においては、光触媒が施されたフィルターへの紫外線照射面を確保するため、紫外線ＬＥＤを前記光触媒が施されたフィルターの面に対して斜めに取付けるという構成が存在しないため、前記光触媒が施されたフィルターへの紫外線照射面を充分確保できないので、ＬＥＤによる紫外線の照射効率が悪いという課題があった。
【０００９】
本発明は、前記課題を解決すべくなされたもので、上・下端を開口した長方形状筒体より成るエアガイドの下方側に、光触媒が施されたフィルターを挿着する挿着部を設けると共に、該挿着部の上方側を小径に絞って小径の脱臭された空気の通気部を連設して形成する一方、前記通気部の下流側にファンを設置するか、あるいは前記挿着部の上流側にファンを設置し、紫外線ＬＥＤを前記エアガイドの挿着部の両側部において、それぞれ上・下に位置をずらし、前記光触媒が施されたフィルター面に対して傾斜して取付け、紫外線ＬＥＤによる紫外線を、前記光触媒が施されたフィルターの上面部および側面部全面を照射できるように照射面を広げる一方、前記小径とした通気部によるベンチュリ効果により、該光触媒が施されたフィルターを通過する空気の圧力を高めてフィルターへの接触効率を高め、更に、前記小径に絞った通気部の外側壁面とケーシングの内側壁面間に広い空間部を形成し、該空間部に脱臭器の部品を配置するようにして、脱臭器の小型化を図るようにした小型脱臭器を提供しようとするものである。
【課題を解決するための手段】
【００１０】
本発明は、前記課題を解決するため、
上・下端を開口した長方形状筒体より成るエアガイドに、光触媒が施されたフィルターを挿着する挿着部を設け、且つ該挿着部の上方側を小径に絞って小径の脱臭空気の通気部を連設し、且つ該通気部の下流側、あるいは前記挿着部の上流側のいずれか一方に、ファンを設置するファン設置部が連設されて形成されると共に、紫外線ＬＥＤを前記挿着部に対して傾斜して取付け、前記通気部によるベンチュリ効果により、該光触媒が施されたフィルターを通過する空気の圧力を高めてフィルターへの接触効率を高め、脱臭効果を高めるようにしたことを特徴とする小型脱臭器が提供され、
または、小径に絞った通気部の外側壁面とケーシングの内側壁面間に広い空間部を形成し、該空間部に脱臭器の部品を配置するようにして、脱臭器の小型化を図るようにしたことを特徴とする請求項１に記載の小型脱臭器が提供され、
また更に、紫外線ＬＥＤを挿着部に対して、それぞれ上・下に位置をずらし、前記光触媒が施されたフィルター面に対して傾斜して取付け、前記一方の紫外線ＬＥＤによる紫外線を、該光触媒が施されたフィルターの上面部および側面部全面を照射できるようにし、更に、他方の紫外線ＬＥＤによる紫外線を、前記光触媒が施されたフィルターの側面部全面を照射できるように照射面を広げるようにしたことを特徴とする請求項１に記載の小型脱臭器が提供される。
【発明の効果】
【００１１】
前記構成より成る本発明によれば、エアガイドの通気部の形状を絞って小径に形成としたベンチュリ効果により、循環空気が、光触媒が施されたフィルターに対しては減速・圧力高の状態で、フィルタリング効果を高め、室内の脱臭効果を高めることができる。更に、本発明小型脱臭器は、光触媒が施されたフィルターへの紫外線照射面を確保しつつ、製品を小型化するため、空間部において、紫外線ＬＥＤを前記光触媒が施されたフィルターの面に対して傾斜して取付けることで、製品の小型化が可能となった。
【図面の簡単な説明】
【００１２】
【図１】本発明小型脱臭器の第１の実施例を示す概略説明図である。
【図２】本発明小型脱臭器の第２の実施例を示す概略説明図である。
【図３】本発明小型脱臭器とオゾン方式脱臭器、および本発明の脱臭装置を使用しない状態（所謂、空試験）でのアンモニアの消臭効果試験結果を示す図である。
【図４】従来実用に供されている小型脱臭器の概略説明図である。
【実施例】
【００１３】
本発明は、従来一般に広く実用に供されている小型脱臭器と同様に、光触媒が施されたフィルター１、ファン２、紫外線ＬＥＤ３ａ・３ｂおよびエアガイド（反応容器）４を備えて形成されている。本発明で使用する光触媒が施されたフィルター１は、特に限定する必要はないが、既に広く実用に供されている、例えば、酸化チタンを担持したセラミックフィルターを使用し、該光触媒が施されたフィルター１に紫外線ＬＥＤ３ａ・３ｂによる紫外線を照射することによって起こる酸化・還元反応を利用して室内等の悪臭を脱臭するものである。
【００１４】
本発明においては、光触媒が施されたフィルター１を挿着するエアガイド４の構成が、第１の実施例と第２の実施例ではそれぞれ異なる。以下、第１の実施例と第２の実施例に分けて、図面に基づいて詳細に説明する。
【００１５】
先ず、第１の実施例におけるエアガイド４は、図１に示すように、上・下端に開口部５・６を備えた長方形状筒体により形成され、且つ該エアガイド４には、前記光触媒が施されたフィルター１を挿着する挿着部７が形成されると共に、該挿着部７の上方側には、その外径を絞って小径とした通気部８を連設して、前記通気部８の外側壁面とケーシング９の内側壁面間に広い空間部１０が形成され、更に、前記通気部８の下流側にはファン２を設置するファン設置部１１が連設されて形成されている。
【００１６】
そして、前記紫外線ＬＥＤ３ａ・３ｂを、前記エアガイド４の空間部１０の前記挿着部７の両側上方位置において、前記ケーシング９の内側壁面に設けられた各基板１２に、それぞれ上・下に位置をずらして、前記光触媒が施されたフィルター１の面に対して傾斜して取付け、前記一方の紫外線ＬＥＤ３ａによる紫外線を、該光触媒が施されたフィルター１の上面部および一方側の側面部全面を照射できるようにする（図１の点線部分）と共に、他方の紫外線ＬＥＤ３ｂによる紫外線を、前記光触媒が施されたフィルター１の他方側の側面部全面を照射できるよう（図１の点線部分）にして紫外線の照射面を広げる一方、前記小径とした通気部８によるベンチュリ効果により、該光触媒が施されたフィルター1を通過する空気の圧力を高めてフィルターへの接触効率を高めて脱臭効果を高め、更に、前記空間部１０に、前記基板１２等の脱臭器の部品１３を配設できるようにして、脱臭器の小型化を図るようにしたものである。
【００１７】
次に、第２の実施例を図２に基づいて詳細に説明する。第２の実施例と第１の実施例における構成部材は同一であるので、同一符号を用いて説明する。図２に示すように、第２の実施例におけるエアガイド４は、上・下端に開口部５・６を備えた長方形状筒
体により形成され、且つ該エアガイド４には、前記光触媒が施されたフィルター１を挿着する挿着部７が形成されると共に、該挿着部７の上方側には、その外径を絞って小径とした通気部８を連設して、前記通気部８の外側壁面とケーシング９の内側壁面間に広い空間部１０が形成され、更に、前記挿着部７の上流側にはファン２を設置するファン設置部１１が連設されて形成されている。すなわち、第２の実施例と第１の実施例とは、ファン２の位置が上下を逆にして設置されている
【００１８】
そして、第２実施例において、紫外線ＬＥＤ３ａ・３ｂを、前記エアガイド４の空間部１０の前記挿着部７の両側上方位置において、前記ケーシング９の内側壁面に設けられた各基板１２に、それぞれ上・下に位置をずらして、前記光触媒が施されたフィルター１の面に対して傾斜して取付け、前記一方の紫外線ＬＥＤ３ａによる紫外線を、該光触媒が施されたフィルター１の上面部および一方側の側面部全面を照射できるようにする（図２の点線部分）と共に、他方の紫外線ＬＥＤ３ｂによる紫外線を、前記光触媒が施されたフィルター１の他方側の側面部全面を照射できるよう（図２の点線部分）にして紫外線の照射面を広げる一方、前記小径として通気部８によるベンチュリ効果により、該光触媒が施されたフィルター1を通過する空気の圧力を高めてフィルターへの接触効率を高めて脱臭効果を高め、更に、前記空間部１０に、前記基板１２等の脱臭器の部品１３を配設できるようにして、脱臭器の小型化を図るようにしたものである。
【００１９】
前記構成より成る本発明の作用について説明する。本発明において、エアガイド４の通気部８の形状を一部絞って小径にした結果、ベンチュリ効果により、光触媒が施されたフィルター１に対して循環空気が減速・圧力高の状態で、フィルタリング効果を高めて、室内の脱臭効果を高めることができる。
【００２０】
また、本発明小型脱臭器は、光触媒が施されたフィルター１への紫外線照射面を確保しつつ、製品を小型化するため、空間部１０において、紫外線ＬＥＤ３ａ・３ｂを前記光触媒が施されたフィルター１の面に対して傾斜して取付けることで、空間部１０を広げ、該空間部１０に脱臭器の部品１３を配設することにより、製品の小型化およびコスト削減が可能となった。
【００２１】
本特許出願人は、本発明小型脱臭器と現在実用に供されているオゾン方式脱臭器、および本発明の脱臭装置を使用しない状態（所謂、空試験）でのアンモニアの消臭効果テストを一般財団法人日本食品分析センターに依頼したところ、図３に示すような試験結果が得られた。すなわち、図３に示すように、本発明小型脱臭器の脱臭効果が優れていることを確認した。なお、図３において、Ａは、本発明小型脱臭器の脱臭効果を示すグラフ、Ｂは、現在実用に供されているオゾン方式脱臭器の脱臭効果を示すグラフ、Ｃは、本発明で小型脱臭器の脱臭装置を使用しない状態での脱臭効果を示すグラである。
【符号の説明】
【００２２】
１  光触媒が施されたフィルター
２  ファン
３ａ・３ｂ  紫外線ＬＥＤ
４  エアガイド
５・６  開口部
７  挿着部
８  通気部
９  ケーシング
１０  空間部
１１  ファン設置部
１２  基板
１３  部品
【図１】
2018089063.tif 000003
【図２】
2018089063.tif 000004
【図３】
2018089063.tif 000005
【図４】
2018089063.tif 000006